(57)【特許請求の範囲】
【請求項１】
路上及びレール上を走行可能な軌陸作業車の故障時に一時的にレールに沿って作業車を退避させるための応急移送台車において、
レール間をわたる前後一対の車軸と、
この車軸に軸支されてレール上を転動するガイド輪と、
前記一対の車軸の両端部に係止されて車軸同士を結合するワイヤとを具備し、
車軸に前記作業車の車輪を載せてレール上を移動できることを特徴とする軌陸作業車の応急移送台車。
【請求項２】
前記ワイヤの両端部には、前記車軸の端部に掛け回す輪状の係止部を有することを特徴とする請求項１に記載の軌陸作業車の応急移送台車。
【請求項３】
前記ワイヤは、一対の車軸の両端部に掛け回される環状のベルトで構成され、
このベルトの内側には、前記一対の車軸間に介在して車軸相互を特定の間隔に位置決めする軸間プレートが配置され、
前記ベルトには、車軸の内側を前記軸間プレートもろとも結束して前記係止部を形成する固定リングが装着されることを特徴とする請求項２に記載の軌陸作業車の応急移送台車。
【請求項４】
前記車軸の両端部には、径方向に差し込まれて突出し、前記ワイヤの抜け止めのためのピンを有することを特徴とする請求項１に記載の軌陸作業車の応急移送台車。
【発明の詳細な説明】
【０００１】
【発明の属する技術分野】
本発明は、路上及び鉄道線路のレール上を走行可能な軌陸作業車が線路内で脱線などの故障等により自力走行が困難になった場合に、応急的に作業車をレール上の他の位置に退避させるための移送台車に関するものである。
【０００２】
【従来の技術】
従来、この種の移送台車には、二本の車軸の両端部を側枠で結合して方形に構成し、車軸にガイド輪を軸支させ、車軸に作業車の車輪を載せる受け板を設けたり、側枠に作業車の車輪軸ハウジングを載せる受け台を設けたもの（特開平９−１２３９０９号）がある。そして、脱線等した作業車を転車台装置などの必要な手段でレール上に配置してから、作業車を台車に載せて移動する。
【０００３】
【発明が解決しようとする課題】
上記従来の応急移送台車においては、車軸間を側枠で結合しているが、この側枠に鋼材を用いるので大重量になってしまう。また、台車は車軸を側枠で結合して組み立てるため、鋼材同士の結合となって取り扱い難く組立作業に時間がかかるし、車輪の受け板や車輪軸ハウジングの載せ台などの装着の位置合わせが煩わしい。さらに、台車を組み立てた状態で保管するときにかさばって無駄に収容スペースをとられてしまうという問題がある。
そこで、本発明は、組立、分解が容易で、運搬等に取り扱い易く、保管に無駄なスペースをとることのない軽量でコンパクトな軌陸作業車の応急移送台車を提供することを課題としている。
【０００４】
【課題を解決するための手段】
上記課題を解決するため、第１の発明においては、路上及びレール上を走行可能な軌陸作業車の故障時に一時的にレールに沿って作業車を退避させるための応急移送台車１において、レールＲ，Ｒ間をわたる前後一対の車軸２，２に、レールＲ上を転動するガイド輪３を軸支させ、一対の車軸２，２の両端部に車軸２，２同士を結合するワイヤ４を係止して、車軸２に作業車Ｃの車輪Ｗを載せてレールＲ上を移動できるように軌陸作業車の応急移送台車１を構成した。
第２の発明においては、ワイヤ４の両端部に、車軸２の端部に掛け回す輪状の係止部４ａを設けた。
第３の発明においては、ワイヤを一対の車軸２，２の両端部に掛け回す環状のベルト４で構成し、このベルト４の内側に一対の車軸２，２間に介在して特定の車軸間隔に位置決めする軸間プレート８を配置し、ベルト４に車軸２の内側を軸間プレート８もろとも結束して係止部４ａを形成する固定リング９を装着した。
第４の発明においては、車軸２の両端部に、ワイヤ４の抜け止めのためのピン６を径方向に差し込んで突出させた。
【０００５】
【発明の実施の形態】
本発明の第１の実施形態を図面を参照して説明する。
図１乃至図４において、応急移送台車１は、鉄道線路のレールＲ，Ｒ間をわたり、軌陸作業車Ｃの車輪Ｗの前後に配置される平行に並ぶ一対の車軸２と、この車軸２に回転自在に軸支されたガイド輪３と、車軸２の両端部間に取り付けられた着脱自在のワイヤベルト４とを備えている。
【０００６】
車軸２の両端部には、差込ブロック５が内側に嵌合し固定されている。この差込ブロック５には車軸２と直交する方向に抜き差し可能なピン６が係止されている。ピン６は、差込ブロック５に差し込まれると車軸２の外周から突出して、ワイヤベルト４を抜け止めする。ピン６は、差込ブロック５に繋がれた係止ワイヤ７に係止されている。
【０００７】
ワイヤベルト４は環状を成し、前後の車軸２の両端部に掛け回される。ワイヤベルト４の内側には軸間プレート８が配置される。軸間プレート８の両端部はほぼ直角に屈曲した当接片８ａが設けられている。当接片８ａは車軸２，２に当接して両者の間隔を決定するようになっている。軸間プレート８の両端部には止めリング９をはめ込むための幅の狭まった差込部８ｂが形成されている。止めリング９は、ワイヤベルト４と軸間プレート８とを束ねて軸間プレート８をワイヤベルト４に固定すると共に、ワイヤベルト４の端部に輪状の係止部４ａを形成する。
【０００８】
この応急移送台車１においては、軸間プレート８を内側に配置したベルト４に止めリング９をはめ込んで両端部に係止部４ａを形成し、差込ブロック５をはめ込んだ車軸２に、係止部４ａを掛け回して、ピン６を差込ブロック５に差し込み組み立てる。そして、車両Ｃに搭載した転車台装置などの必要な手段で車両Ｃを持ち上げて車輪Ｗを浮かせ、応急移送台車１をレールＲ上の前後の車輪Ｗの下に夫々置いてから、車両Ｃを下ろして前後の車軸２，２間に車輪Ｗを夫々載せる。車軸２は車輪Ｗが載ると、相互の間隔が広がるが、ワイヤベルト４によって結合しているので拡開が妨げられ脱落することなく車輪Ｗを保持する。従って、車両Ｃを押し進めれば台車１のガイド輪３がレールＲ上を転動してレールＲ上を移動させることができ、軌陸作業車Ｃの脱線などの事故時に線路の閉塞状態を回避する。なお、台車１は前後輪共用であるし、自身の前後の向きが何れに配置されてもよい。ワイヤ４は、車軸２から取り外しておけば保管、運搬時に取り扱い易くなり紛失等を防止する。不使用時にピン６は係止ワイヤ７で差込ブロック６につながっているので車軸２から離れることなく紛失を防止できる。台車１は車輪Ｗを載せるときに、車両Ｃの車輪軸などの車輪Ｗ以外の部位に取り付ける必要がないから作業が極めて簡単である。
【０００９】
第２の実施形態を図５に示す。なお、図中先のものと同一の構成部分には同一の符号を付して説明を省略する。この台車１０は、上記ワイヤベルト４に代えてワイヤロープ１１を設けている。ワイヤロープ１１の両端部には車軸２に掛け止めるための輪状の係止部１１ａが形成されている。この台車１０においてもワイヤロープ１１が車軸２を結合するので、先の実施形態と同様の作用を行う。
【００１０】
第３の実施形態を図６に示す。この台車１２におけるワイヤロープ１３は、上記ワイヤロープ１１を延長して、その両端部の係止部１３ａを一方の車軸２に係止し、中間部を他方に掛けて折り返すように構成している。この台車１２においてもワイヤロープ１３を車軸２に掛けて、車輪Ｗを載せると、車軸２，２の間隔が広がるので、ワイヤロープ１３がきつく張られて車軸２を確実に結合する。
【００１１】
第４の実施形態を図７に示す。この台車１４は、環状のワイヤロープ１５を両車軸２に掛け回して結合するように構成している。この台車１４においてもワイヤロープ１５を車軸２に掛けて、車輪Ｗを載せると、車軸２，２の間隔が広がるので、ワイヤロープ１５がきつく張られて車軸２を確実に結合する。
【００１２】
【発明の効果】
以上のように、本発明は、前後の車軸間をワイヤで簡易に結合するので、台車の組立作業、装着作業を簡単に短時間で行うことができ、非常時の軌陸作業車を速やかに移動することができるし、台車を前後輪共通に使用でき、またワイヤがコンパクトで軽量に構成できるので、台車自体もコンパクトで軽量になり、運搬等の取り扱いが容易で、保管に無駄な収容スペースをとられることがないという効果を有する。
【図面の簡単な説明】
【図１】本発明に係る応急移送台車の使用状態の正面図である。
【図２】応急移送台車の取付状態の正面図である。
【図３】応急移送台車の平面図である。
【図４】応急移送台車の側面図である。
【図５】第２の実施形態の応急移送台車の斜視図である。
【図６】第３の実施形態の応急移送台車の斜視図である。
【図７】第４の実施形態の応急移送台車の斜視図である。
【符号の説明】
１    応急移送台車
２    車軸
３    ガイド輪
４    ワイヤベルト
４ａ  係止部
５    差込ブロック
６    ピン
８    軸間プレート
９    止めリング
１０    応急移送台車
１１    ワイヤロープ
１１ａ  係止部
１２    応急移送台車
１３    ワイヤロープ
１３ａ  係止部
１４    応急移送台車
１５    ワイヤロープ
Ｒ    レール
Ｃ    軌陸作業車
Ｗ    車輪
【図１】
0004382272.tif 000002
【図２】
0004382272.tif 000003
【図３】
0004382272.tif 000004
【図４】
0004382272.tif 000005
【図５】
0004382272.tif 000006
【図６】
0004382272.tif 000007
【図７】
0004382272.tif 000008